【手続補正書】
【提出日】平成21年12月22日(2009.12.22)
【手続補正１】
【補正対象書類名】明細書
【補正対象項目名】発明の名称
【補正方法】変更
【補正の内容】
【発明の名称】保護板一体型表示パネルの製造方法
【手続補正２】
【補正対象書類名】明細書
【補正対象項目名】０００１
【補正方法】変更
【補正の内容】
【０００１】
この発明は、画像を表示する表示素子の観察側に、前記表示素子の観察面を保護するための保護板を一体的に配置した保護板一体型表示パネルの製造方法に関する。
【手続補正３】
【補正対象書類名】明細書
【補正対象項目名】０００５
【補正方法】変更
【補正の内容】
【０００５】
この発明は、表示素子と観察面保護板との接合強度を高くし、しかも容易に製造することができる保護板一体型表示パネルの製造方法を提供することを目的としたものである。
【手続補正４】
【補正対象書類名】明細書
【補正対象項目名】０００６
【補正方法】変更
【補正の内容】
【０００６】
この発明の請求項１に記載の保護板一体型表示パネルの製造方法は、
画像を表示する表示素子の一方の面に、少なくとも一部に欠落部を有した枠状に形成されたスペーサを前記表示素子の画面エリアに対応する領域を囲むように配置する工程と、
前記表示素子の前記一方の面上における前記スペーサで囲まれた領域に、紫外線により重合する性質と熱により重合する性質とを併せ持つ充填材を供給する工程と、
前記表示素子との間に前記スペーサ及び前記充填材が介在するように前記表示素子に保護板を重ね合わせ、前記保護板を介した加圧によって、前記表示素子の前記一方の面上に供給された充填材を押し広げるとともに前記スペーサで囲まれた領域内の空気を前記欠落部から排出させる工程と、
前記加圧状態で紫外線による前記充填材の重合を行い、その後、前記加圧状態から開放した状態で熱による前記充填材の重合を行う工程と、
を有することを特徴とする。
【手続補正５】
【補正対象書類名】明細書
【補正対象項目名】０００７
【補正方法】変更
【補正の内容】
【０００７】
請求項２に記載の保護板一体型表示パネルの製造方法は、
画像を表示する表示素子の一方の面に、少なくとも一部に欠落部を有した枠状に形成されたスペーサを前記表示素子の画面エリアに対応する領域を囲むように配置する工程と、
前記表示素子の前記一方の面上における前記スペーサで囲まれた領域に、紫外線により重合する性質と熱により重合する性質とを併せ持つ充填材を供給する工程と、
前記表示素子との間に前記スペーサ及び前記充填材が介在するように前記表示素子に保護板を重ね合わせ、前記保護板を介した加圧によって、前記表示素子の前記一方の面上に供給された充填材を押し広げるとともに前記スペーサで囲まれた領域内の余分な充填材を前記欠落部から排出させる工程と、
前記加圧状態で紫外線による前記充填材の重合を行い、その後、前記加圧状態から開放した状態で熱による前記充填材の重合を行う工程と、
を有することを特徴とする。
【手続補正６】
【補正対象書類名】明細書
【補正対象項目名】０００８
【補正方法】変更
【補正の内容】
【０００８】
請求項３に記載の発明は、前記請求項１または２に記載の保護板一体型表示パネルの製造方法において、前記スペーサは、矩形枠状に形成され、前記欠落部は、前記矩形枠の角部に対応する領域に形成されているとともに、該欠落部の幅が前記スペーサの外縁側から内縁側に向かって大きくなる形状に形成されていることを特徴とする。
【手続補正７】
【補正対象書類名】明細書
【補正対象項目名】０００９
【補正方法】変更
【補正の内容】
【０００９】
請求項４に記載の発明は、前記請求項１から３の何れかに記載の保護板一体型表示パネルの製造方法において、前記充填材は、脂環状エポキシ樹脂に有機過酸化物からなる硬化開始剤が添加された透明な樹脂であることを特徴とする。
【手続補正８】
【補正対象書類名】明細書
【補正対象項目名】００１０
【補正方法】変更
【補正の内容】
【００１０】
請求項５に記載の発明は、前記請求項１から４の何れかに記載の保護板一体型表示パネルの製造方法において、前記充填材は、粘度が３０００〜５０００ｍＰａ・ｓに設定されていることを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
この発明によれば、表示素子と観察面保護板との接合強度を高くし、しかも保護板一体型表示パネルを容易に製造することができる。
【手続補正１７】
【補正対象書類名】特許請求の範囲
【補正対象項目名】全文
【補正方法】変更
【補正の内容】
【特許請求の範囲】
【請求項１】
画像を表示する表示素子の一方の面に、少なくとも一部に欠落部を有した枠状に形成されたスペーサを前記表示素子の画面エリアに対応する領域を囲むように配置する工程と、
前記表示素子の前記一方の面上における前記スペーサで囲まれた領域に、紫外線により重合する性質と熱により重合する性質とを併せ持つ充填材を供給する工程と、
前記表示素子との間に前記スペーサ及び前記充填材が介在するように前記表示素子に保護板を重ね合わせ、前記保護板を介した加圧によって、前記表示素子の前記一方の面上に供給された充填材を押し広げるとともに前記スペーサで囲まれた領域内の空気を前記欠落部から排出させる工程と、
前記加圧状態で紫外線による前記充填材の重合を行い、その後、前記加圧状態から開放した状態で熱による前記充填材の重合を行う工程と、
を有することを特徴とする保護板一体型表示パネルの製造方法。
【請求項２】
画像を表示する表示素子の一方の面に、少なくとも一部に欠落部を有した枠状に形成されたスペーサを前記表示素子の画面エリアに対応する領域を囲むように配置する工程と、
前記表示素子の前記一方の面上における前記スペーサで囲まれた領域に、紫外線により重合する性質と熱により重合する性質とを併せ持つ充填材を供給する工程と、
前記表示素子との間に前記スペーサ及び前記充填材が介在するように前記表示素子に保護板を重ね合わせ、前記保護板を介した加圧によって、前記表示素子の前記一方の面上に供給された充填材を押し広げるとともに前記スペーサで囲まれた領域内の余分な充填材を前記欠落部から排出させる工程と、
前記加圧状態で紫外線による前記充填材の重合を行い、その後、前記加圧状態から開放した状態で熱による前記充填材の重合を行う工程と、
を有することを特徴とする保護板一体型表示パネルの製造方法。
【請求項３】
前記スペーサは、矩形枠状に形成され、
前記欠落部は、前記矩形枠の角部に対応する領域に形成されているとともに、該欠落部の幅が前記スペーサの外縁側から内縁側に向かって大きくなる形状に形成されていることを特徴とする請求項１または２に記載の保護板一体型表示パネルの製造方法。
【請求項４】
前記充填材は、脂環状エポキシ樹脂に有機過酸化物からなる硬化開始剤が添加された透明な樹脂であることを特徴とする請求項１から３の何れかに記載の保護板一体型表示パネルの製造方法。
【請求項５】
前記充填材は、粘度が３０００〜５０００ｍＰａ・ｓに設定されていることを特徴とする請求項１から４の何れかに記載の保護板一体型表示パネルの製造方法。